【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
被測定者から測定されて記憶媒体に記憶された複数の生体情報を用いて行われる診断を支援する診断支援装置であって、
前記記憶媒体に記憶された複数の生体情報に基づいて、被測定者から測定される生体情報についての予め決められた条件の達成状況を判定する達成状況判定部と、
前記達成状況を報知する処理を行う報知処理部と、を備え、
前記条件は、前記記憶媒体に記憶された生体情報の変化のパターンが特定のパターンを閾値回以上含むことであり、
前記特定のパターンは、ｅｘｔｒｅｍｅ−ｄｉｐｐｅｒ、ｎｏｎｄｉｐｐｅｒ、又は、ｒｉｓｅｒである診断支援装置。
【請求項２】
請求項１記載の診断支援装置であって、
前記生体情報は血圧情報である診断支援装置。
【請求項３】
生体情報を測定して記憶媒体に記憶する生体情報測定装置であって、
被測定者から測定されて前記記憶媒体に記憶された複数の生体情報に基づいて、被測定者から測定される生体情報についての予め決められた条件の達成状況を判定する達成状況判定部と、前記達成状況を報知する処理を行う報知処理部と、を備え、被測定者から測定されて前記記憶媒体に記憶された複数の生体情報を用いて行われる診断を支援する診断支援装置を備え、
更に、被測定者の通院予定日の情報を記憶する記憶媒体から前記通院予定日の情報を取得し、当該情報と前記達成状況とに基づいて、前記通院予定日に変更が必要か否かを判定する通院予定日変更判定部を備え、
前記報知処理部は、前記達成状況に加えて、前記通院予定日変更判定部による判定結果を更に報知する生体情報測定装置。
【請求項４】
請求項３記載の生体情報測定装置であって、
前記報知処理部は、生体情報の測定終了指示がなされた場合、生体情報測定装置の電池残量が生体情報の測定動作に必要な残量閾値以下となった場合、又は、達成状況の報知指示がなされた場合に、前記達成状況を報知する生体情報測定装置。
【請求項５】
請求項３記載の生体情報測定装置であって、
前記報知処理部は、予め決められた期間毎に、前記達成状況を報知する生体情報測定装置。
【請求項６】
請求項３〜５のいずれか１項記載の生体情報測定装置であって、
前記報知処理部は、前記条件が達成された場合に、前記条件が達成されたことを示す情報を報知する生体情報測定装置。
【請求項７】
請求項３〜６のいずれか１項記載の生体情報測定装置であって、
被測定者から検出される生体信号に基づいて拍単位で生体情報を算出する生体情報算出部を備える生体情報測定装置。
【請求項８】
生体情報測定装置によって被測定者から測定されて記憶媒体に記憶された複数の生体情報を用いて行われる診断を支援する診断支援方法であって、
前記記憶媒体に記憶された複数の生体情報に基づいて、被測定者から測定される生体情報についての予め決められた条件の達成状況を判定する達成状況判定ステップと、
前記達成状況を報知する処理を行う報知処理ステップと、を備え、
前記達成状況判定ステップでは、前記記憶媒体に記憶された生体情報の変化のパターンがｅｘｔｒｅｍｅ−ｄｉｐｐｅｒ、ｎｏｎｄｉｐｐｅｒ、又は、ｒｉｓｅｒのパターンを閾値回以上含むことを前記条件として前記達成状況を判定する診断支援方法。
【請求項９】
生体情報測定装置によって被測定者から測定されて記憶媒体に記憶された複数の生体情報を用いて行われる診断を支援する診断支援プログラムであって、
前記記憶媒体に記憶された複数の生体情報に基づいて、被測定者から測定される生体情報についての予め決められた条件の達成状況を判定する達成状況判定ステップと、
前記達成状況を報知する処理を行う報知処理ステップと、をコンピュータに実行させるためのプログラムであり、
前記達成状況判定ステップでは、前記記憶媒体に記憶された生体情報の変化のパターンがｅｘｔｒｅｍｅ−ｄｉｐｐｅｒ、ｎｏｎｄｉｐｐｅｒ、又は、ｒｉｓｅｒのパターンを閾値回以上含むことを前記条件として前記達成状況を判定する診断支援プログラム。
【手続補正２】
【補正対象書類名】明細書
【補正対象項目名】００１１
【補正方法】変更
【補正の内容】
【００１１】
本発明の診断支援装置は、被測定者から測定されて記憶媒体に記憶された複数の生体情報を用いて行われる診断を支援する診断支援装置であって、前記記憶媒体に記憶された複数の生体情報に基づいて、被測定者から測定される生体情報についての予め決められた条件の達成状況を判定する達成状況判定部と、前記達成状況を報知する処理を行う報知処理部と、を備え、前記条件は、前記記憶媒体に記憶された生体情報の変化のパターンが特定のパターンを閾値回以上含むことであり、前記特定のパターンは、ｅｘｔｒｅｍｅ−ｄｉｐｐｅｒ、ｎｏｎｄｉｐｐｅｒ、又は、ｒｉｓｅｒであるものである。
【手続補正３】
【補正対象書類名】明細書
【補正対象項目名】００１２
【補正方法】変更
【補正の内容】
【００１２】
本発明の生体情報測定装置は、生体情報を測定して記憶媒体に記憶する生体情報測定装置であって、被測定者から測定されて前記記憶媒体に記憶された複数の生体情報に基づいて、被測定者から測定される生体情報についての予め決められた条件の達成状況を判定する達成状況判定部と、前記達成状況を報知する処理を行う報知処理部と、を備え、被測定者から測定されて前記記憶媒体に記憶された複数の生体情報を用いて行われる診断を支援する診断支援装置を備え、更に、被測定者の通院予定日の情報を記憶する記憶媒体から前記通院予定日の情報を取得し、当該情報と前記達成状況とに基づいて、前記通院予定日に変更が必要か否かを判定する通院予定日変更判定部を備え、前記報知処理部は、前記達成状況に加えて、前記通院予定日変更判定部による判定結果を更に報知するものである。
【手続補正４】
【補正対象書類名】明細書
【補正対象項目名】００１３
【補正方法】変更
【補正の内容】
【００１３】
本発明の診断支援方法は、生体情報測定装置によって被測定者から測定されて記憶媒体に記憶された複数の生体情報を用いて行われる診断を支援する診断支援方法であって、前記記憶媒体に記憶された複数の生体情報に基づいて、被測定者から測定される生体情報についての予め決められた条件の達成状況を判定する達成状況判定ステップと、前記達成状況を報知する処理を行う報知処理ステップと、を備え、前記達成状況判定ステップでは、前記記憶媒体に記憶された生体情報の変化のパターンがｅｘｔｒｅｍｅ−ｄｉｐｐｅｒ、ｎｏｎｄｉｐｐｅｒ、又は、ｒｉｓｅｒのパターンを閾値回以上含むことを前記条件として前記達成状況を判定するものである。
【手続補正５】
【補正対象書類名】明細書
【補正対象項目名】００１４
【補正方法】変更
【補正の内容】
【００１４】
本発明の診断支援プログラムは、生体情報測定装置によって被測定者から測定されて記憶媒体に記憶された複数の生体情報を用いて行われる診断を支援する診断支援プログラムであって、前記記憶媒体に記憶された複数の生体情報に基づいて、被測定者から測定される生体情報についての予め決められた条件の達成状況を判定する達成状況判定ステップと、前記達成状況を報知する処理を行う報知処理ステップと、をコンピュータに実行させるためのプログラムであり、前記達成状況判定ステップでは、前記記憶媒体に記憶された生体情報の変化のパターンがｅｘｔｒｅｍｅ−ｄｉｐｐｅｒ、ｎｏｎｄｉｐｐｅｒ、又は、ｒｉｓｅｒのパターンを閾値回以上含むことを前記条件として前記達成状況を判定するものである。